(57)【要約】【課題】壁面に傷をつけることなく強固に固定できる換気フードを提供することを目的とする。【解決手段】中空円筒形のダクトとダクトの端部開口に備えられるカバーとを備えた換気フードであって、ダクトはダクトの内周壁から突出する係止部を備え、カバーはダクトの内周側にて挿抜可能な円筒部と、円筒部の外周壁から突出して係止部と係合することで円筒部の抜け方向への移動を規制する抜止部とを備えた換気フードを提供する。換気フードを壁に固定する際、抜止部がダクトの内周壁と換気フードの円筒部の外周壁によって押圧されて、換気フードが容易に動くのを抑制し、係止部と抜止部が係合することで換気フードに抜け方向の力が加わっても、ダクトから抜けるのを防止でき、ネジを用いずに、強固な方法で換気フードを壁に固定できる。【選択図】図１
2018031514.tif 000002
【特許請求の範囲】
【請求項１】
中空円筒形のダクトと当該ダクトの端部開口に備えられるカバーとを備えた換気フードであって、
前記ダクトは、
当該ダクトの内周壁から突出する係止部を備え、
前記カバーは、
前記ダクトの内周側にて挿抜可能な円筒部と、
前記円筒部の外周壁から突出して前記係止部と係合することで前記円筒部の抜け方向への移動を規制する抜止部とを備えた換気フード。
【請求項２】
前記円筒部は、
前記ダクトへの挿入状態で円周方向への回動が可能な回動構造を備え、
前記円筒部の前記ダクトへの挿抜は、
前記係止部と前記抜止部とが円周上における異なる位置にて行われ、
前記円筒部の前記ダクトへの固定は、
前記円筒部の前記ダクトへの挿入状態において当該円筒部を回動させることで前記係止部と前記抜止部とを円周上における同一の位置である規制位置に配置して行われる請求項１記載の換気フード。
【請求項３】
前記係止部は、
前記抜止部の前記抜け方向への移動を規制する抜け規制部と、
前記抜止部の前記回動方向への移動を規制する回動規制部と、を備え、
前記抜け規制部は、
前記抜止部の前記規制位置からの抜け方向への移動を規制し、
前記回動規制部は、
前記抜止部の前記規制位置からの回動方向への回動を規制する請求項２記載の換気フード。
【請求項４】
前記抜止部は、
前記円筒部の挿入方向における先側にて前記円筒部と固定される円筒固定部と、
前記円筒部の挿入方向における後側にて前記円筒部から前記円筒固定部よりも外周側に立ち上がる返し部とを備え、
前記返し部は、
前記係止部と係合する請求項１から３のいずれかに記載の換気フード。
【請求項５】
前記抜止部は、
前記円筒部の挿入方向への移動に比して前記円筒部の抜け方向への移動を抑制する楔部を備えた請求項１から４のいずれかに記載の換気フード。
【請求項６】
前記楔部は、
さらに前記円筒部の回動方向への回動に比して前記円筒部の反回動方向への回動を抑制する請求項５に記載の換気フード。
【請求項７】
前記抜止部は、
前記円筒部に複数備えられた請求項１から６のいずれかに記載の換気フード。
【請求項８】
前記抜止部は、
前記円筒部に等間隔で備えられた請求項７記載の換気フード。
【請求項９】
前記係止部は、
前記抜止部に対応させて複数備えられた請求項７または８記載の換気フード。
【発明の詳細な説明】
【技術分野】
【０００１】
本発明は、建物の外壁や内壁に設置される換気フードに関するものである。
【背景技術】
【０００２】
従来、この種の換気フードとして換気口部材が知られている（例えば、特許文献１参照）。
【０００３】
以下、その換気口部材について図１２を参照しながら説明する。
【０００４】
図１２に示すように、従来の換気口部材は、建物の外壁内に設けられたダクト内に嵌挿される本体筒１０１と、本体筒１０１に設けられた抜け止め金具１０２と、本体筒１０１に接続されるフード本体１０３とでなる換気フードにおいて壁面に接するフードフランジ部１０４に複数の半抜き穴１０５を設けた構成とし、半抜き穴１０５を介してネジ１０６で外壁に取付けできる施工方法としている。
【先行技術文献】
【特許文献】
【０００５】
【特許文献１】特開平８−３０３８３０号公報（段落０００９、図１）
【発明の概要】
【発明が解決しようとする課題】
【０００６】
このような従来の換気口部材、すなわち換気フードは壁への固定にネジ止めを必要としている。つまり、壁の材質によっては、直接ネジを壁に打ちこむと壁が割れてしまうため、ネジによる壁への固定は、壁に下穴を開けてからネジ止めされる。このように、換気口部材を固定する場合、壁を傷つけてしまうという課題があった。
【０００７】
そこで本発明は、上記従来の課題を解決するものであり、壁を傷つけることなく固定できる換気フードを提供することを目的とする。
【課題を解決するための手段】
【０００８】
そして、この目的を達成するために、本発明は、中空円筒形のダクトと当該ダクトの端部開口に備えられるカバーとを備えた換気フードであって、前記ダクトは、当該ダクトの内周壁から突出する係止部を備え、前記カバーは、前記ダクトの内周側にて挿抜可能な円筒部と、前記円筒部の外周壁から突出して前記係止部と係合することで前記円筒部の抜け方向への移動を規制する抜止部とを備えた換気フードという構成としたものであり、これにより所期の目的を達成するものである。
【発明の効果】
【０００９】
本発明によれば、壁を傷つけることなく固定できる換気フードを提供することができる。
【図面の簡単な説明】
【００１０】
【図１】本発明の実施の形態１に係る換気フードの構成を示す断面図。
【図２】実施の形態１に係る抜止部と係止部の挿入状態から係止状態までを示す部分断面図。
【図３】実施の形態１に係る抜止部と係止部との係止状態を示す部分断面図。
【図４】実施の形態１に係る換気フードの固定状態を示す断面図。
【図５】実施の形態１に係る換気フードの姿勢状態の変化を示す正面図。
【図６】本発明の実施の形態２に係る換気フードの構成を示す斜視図。
【図７】実施の形態２に係る抜止部の係止位置を示す図。
【図８】本発明の実施の形態３に係る抜止部の形状を示す図。
【図９】本発明の実施の形態３に係る抜止部と係止部との状態を示す断面図。
【図１０】本発明の実施の形態３に係る抜止部の形状を示す図。
【図１１】本発明の実施の形態３に係る抜止部と係止部との関係を示す斜視図。
【図１２】従来の換気フードの構成を示す図。
【発明を実施するための形態】
【００１１】
本発明に係る換気フードは、中空円筒形のダクトと当該ダクトの端部開口に備えられるカバーとを備えた換気フードであって、前記ダクトは、当該ダクトの内周壁から突出する係止部を備え、前記カバーは、前記ダクトの内周側にて挿抜可能な円筒部と、前記円筒部の外周壁から突出して前記係止部と係合することで前記円筒部の抜け方向への移動を規制する抜止部とを備えた構成としている。
【００１２】
これにより換気フードをダクトが設置される壁に固定する際、円筒部の外周壁から突出した抜止部がダクトの内周壁を押圧して、換気フードが容易に動くのを抑制させ、かつ、ダクトの内周壁の係止部と換気フードの抜止部が係合することにより、換気フードに抜け方向の力が加わったとしても、ダクトから抜けるのを防止できる。つまり壁を傷つけることなく換気フードを壁に固定できるという効果を得ることができる。
【００１３】
また、円筒部は、ダクトへの挿入状態で円周方向への回動が可能な回動構造を備え、円筒部のダクトへの挿抜は、係止部と前記抜止部とが円周上における異なる位置にて行われ、円筒部のダクトへの固定は、円筒部のダクトへの挿入状態において当該円筒部を回動させることで係止部と抜止部とを円周上における同一の位置である規制位置に配置して行われる構成としてもよい。
【００１４】
この構成により、換気フードをダクトが設置される壁に固定する際、換気フードを、換気フードの抜止部とダクトの係止部とが円周上における異なる位置でダクトに差し込み、換気フードを、換気フードの抜止部とダクトの係止部とが円周上における同一の位置になるよう回動して換気フードを壁に設置する。これにより、係止部に対して抜止部がダクトの内部に位置する。このような状態で換気フードに何らかの外力が加わり、つまり換気フードが外れる（壁から離れる）方向の力が加わったとしても、換気フードの抜止部がダクトの内周壁の係止部によって係止されているので、換気フードが壁から外れるのを防止できる。なお、回動構造はどのようなものでもよく、例えば円筒形のダクトの内周に同じく円筒形の円筒部を差し込むことで周方向への回動が可能となり、すなわち回動構造を構成する。
【００１５】
また、係止部は、抜止部の抜け方向への移動を規制する抜け規制部と、抜止部の回動方向への移動を規制する回動規制部と、を備え、抜け規制部は、抜止部の規制位置からの抜け方向への移動を規制し、回動規制部は、抜止部の規制位置からの回動方向への回動を規制する構成としてもよい。
【００１６】
上記構成において、換気フードをダクトが設置される壁に固定する際、まず換気フードを、換気フードの抜止部とダクトの係止部とが円周上における異なる位置で差し込む。その後換気フードを、抜止部が回動規制部に向かう方向に回動させる。このとき抜止部はダクトの回動規制部に当接するまで行う。この状態で換気フードの抜止部とダクトの係止部とが円周上における同一の位置になり、すなわち抜止部を規制位置に位置させることで換気フードを壁に設置させる作業が完了される。このようにして、換気フードはネジを用いずに壁に固定できる。さらに、換気フードに何らかの外力が加わり、つまり換気フードが外れる（壁から離れる）方向の力が加わったとしても、換気フードの抜止部がダクト内周壁の係止部により、係止されているので、外れるのを防止できる。また、換気フードを回動させる作業中において、抜止部が係止部の回動規制部に当接する。このため、作業者は、その当接した感触により、抜止部と係止部とが係止する条件である円周上で抜止部と係止部とが円周上で同一に位置していることが分かる。つまり、規制位置に位置したことが容易に認識できる。
【００１７】
また、抜止部は、円筒部の挿入方向における先側にて円筒部と固定される円筒固定部と、円筒部の挿入方向における後側にて円筒部から円筒固定部よりも外周側に立ち上がる返し部とを備え、返し部は、係止部と係合する構成としてもよい。
【００１８】
これにより円筒部のダクトへの挿入時には、返し部の先端がダクトの内周壁に接しながら挿入されることとなる。返し部は、自然の状態、すなわち円筒部がダクトに挿入されていない状態ではダクトの内径より外側まで広がっていることにより、返し部はダクトの内周壁と換気フードの円筒部外周によって押圧されて、円筒部の安易な動きを抑制する。
【００１９】
そして、係止部と抜止部の返し部が係合することにより、換気フードがダクトから抜けるのを防止できるため、ネジを用いずに、ネジ同様の強固な方法で換気フードを壁に固定できる。さらに、ダクトの内径異なる場合であっても、返し部はダクトの内周壁によって押圧されるので、同様の効果が得られる。
【００２０】
また、抜止部は、円筒部の挿入方向への移動に比して円筒部の抜け方向への移動を抑制する楔部を備えた構成をしている。
【００２１】
この構成により、換気フードの円筒部が抜け方向に力が加わったとしても楔部がダクトの内周壁に引っかかる状態となるので、換気フードが抜け方向に動くのを抑制できる。また、楔部でダクトの内周壁に引っかかるが、換気フードの円筒部をダクトへ挿入する際は、楔部のダクト内周壁への引っかかり力が小さいため、比較的大きな力を必要とせず挿入できる。
【００２２】
また楔部は、さらに円筒部の回動方向への回動に比して前記円筒部の反回動方向への回動を抑制する構成をしている。
【００２３】
この構成により、換気フードの円筒部が反回動方向への回動方向に力が加わったとしても楔部がダクトの円周壁に引っかかるので、換気フードの反回動方向への動きを抑制できる。また、換気フードの円筒部をダクトに挿入方向に差し込んだ後、さらに円筒部を回動方向に回動する際、楔部のダクトの内周壁への引っかかり力は少なく、比較的大きな力を必要とせず回動できる。
【００２４】
また、抜止部は、円筒部に複数備えられた構成をしている。
【００２５】
これにより、抜止部がダクトの内周壁と換気フードの円筒部外周によって押圧されて換気フードが容易に動くのを抑制させる力が抜止部の個数倍に増大するため強固に換気フードをダクトに固定できる。
【００２６】
また、抜止部は、円筒部に等間隔で備えられた構成をしている。
【００２７】
これにより、抜止部がダクトの内周壁と換気フードの円筒部外周によって押圧されて換気フードが容易に動くのを抑制させる力が換気フードの円周方向のどの方向からも均等にかかる。このため、特定の方向からの力に対しては容易に動きやすいという不安定な状態になるのを抑制し、かつ、換気フードを回動させる際に常に一定の力で作業することができる。
【００２８】
また、係止部は、前記抜止部に対応させて複数備えられた構成としている。
【００２９】
この構成により、換気フードがダクトから抜ける方向（抜け方向および反回動方向）に力が加わったとしても複数の抜止部と係止部との係合力により、より強固に換気フードをダクトに固定できる。
【００３０】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。さらに、各図面において、本発明に直接には関係しない各部の詳細については説明を省略している。
【００３１】
また、実施形態として記載されている、又は図面に示されている構成部品の寸法、材質、形状、その相対的配置等は、本発明の範囲をこれに限定する趣旨でなく、単なる説明例にすぎない。さらに、下記複数の実施の形態は、矛盾しない範囲で組み合わせて実施することができる。
（実施の形態１）
以下、図１、図２を参照して、本発明の実施の形態１に係る換気フードについて説明する。なお図１は、本発明の実施の形態１に係る換気フード４の構成を示す断面図、図２は、抜止部と係止部の挿入状態から係止状態までを示す部分断面図である。
【００３２】
換気フード４は、ダクト１と、カバー３とを備えている。
【００３３】
ダクト１は、例えば家屋等の壁１０を貫通した孔３１に、当該壁１０を挟んで内部と外部とを連通するように設けられる。ダクト１は、中空円筒形状を有しており、壁１０への設置時には、外周壁３２が孔３１に密着して挟持され、内周壁５が送風のための風路空間の外周を構成する。またダクト１は、設置時には、例えば当該ダクト１の端部の開口である端部開口２が、壁１０の壁面３３と同一平面上に位置される。ダクト１は、端部開口２近傍において、係止部６を備えている。
【００３４】
係止部６は、内周壁５からダクト１の円形における中心軸方向に向けて、例えばダクト１の壁面の厚みと同一の厚みで突出している。ここで壁面の厚みとは、外周壁３２と内周壁５との距離である。係止部６は、図２に示すように、ダクト１の送風方向に対して垂直の断面視（図２における２番目の図）において、同一円周上に等間隔、すなわち１２０度毎に３個配置されている。ただし、係止部６は１個でもよい。係止部６の周方向両端と中心軸との成す角度αは例えば５度から６０度程度である。係止部６は、一端が壁面３３と同一平面上、すなわち端部開口２と一致させて配置されている。また係止部６は、他端がダクト１の内部方向（後述の挿入方向）に当該ダクト１の端部開口２から一定の距離入った場所に位置している。ここで一定の距離とは、後述の抜止部と特定の関係を有する距離であるが詳細は後述する。
【００３５】
カバー３は、円筒部７と、ダクトカバー部３４とを備えている。
【００３６】
円筒部７は、中空円筒形状を有し、当該円筒部７の外周は、複数の係止部６の内周面で構成される内周円（図２の内周円３５）よりも径が小さく、すなわち当該円筒部７は、ダクト１の内周側にて当該ダクト１に挿抜可能となっている。円筒部７は、ダクトカバー側開口３６において外周方向に広がるフランジ３７を有している。円筒部７は、抜止部９を備えている。
【００３７】
抜止部９は、円筒部７の外周壁８から外周方向に突出しており、設置時に係止部６と係合することで円筒部７の抜け方向への移動を規制する。抜止部９は、係止部６と同数かつ係止部６と位置を対応させて備えられている。抜止部９は、カバー３をダクト１に挿入する方向、すなわち挿入方向Ｒにおける先側１５にて円筒部７と固定される円筒固定部１６と、挿入方向Ｒにおける後側１７にて円筒部７から円筒固定部１６よりも外周側に立ち上がる返し部１８とを備えている。なお、抜止部９と係止部６との係合の詳細については後述する。
【００３８】
返し部１８は、円筒部７がダクト１に挿入されていない分離状態では、返し部１８の最外周を結んだ円周の径はダクト１の内径よりも大きく、すなわちダクト１の内径よりも外側まで広がっている。
【００３９】
ダクトカバー部３４は、円筒部７のフランジ３７と例えばリベット止めされることで円筒部７と一体化されている。ダクトカバー部３４は、断面視において中空矩形であり、一端が円筒部７の内部空間と連通し、他端は外部に開放されている。ここで外部とは、屋外や屋内を意味する。図１では、ダクトカバー部３４は、他端が下方に向けて開放されており、雨の侵入を防止できる構造となっている。つまり、ダクトカバー部３４は、ダクト１内への雨風の流入を防止する覆いとして機能する。
【００４０】
以上が換気フード４の構成である。
【００４１】
続いて、図２、図３、図４を参照しながら、カバー３をダクト１に挿入し、すなわち設置状態とする手順について説明する。なお、図３は、抜止部と係止部との係止状態を示す部分断面図、図４は、換気フード４の固定状態を示す断面図である。
【００４２】
上記構成において、換気フード４をダクト１が設置される壁１０に固定する際、まず、円筒部７の中心軸とダクト１の中心軸とを一致させる。この際、円筒部７に設けられた抜止部９とダクト１に設けられた係止部６とは、中心軸に垂直な断面、すなわち円周上において異なる位置に据えられる（図２における３番目の図）。このような状態において、図４に示すように、円筒部７を挿入方向Ｒの方向に挿入する。この際、抜止部９（返し部１８）がダクト１の内周壁５と換気フード４の円筒部７の外周壁８によって押圧されて、換気フード４が抜け方向Ｊ側に容易に動くのを抑制する。
【００４３】
円筒部７がダクト１に挿入されると、ダクトカバー部３４あるいはフランジ３７が、壁面３３または端部開口２と当接し、それ以上の挿入が規制される。この状態においては、返し部１８の挿入方向Ｒにおける後側１７の端部は、係止部６の他端と周方向において競合しない位置３８まで挿入されることになる。つまり、この競合しない位置３８が、上述の「抜止部と特定の関係を有する距離」である。
【００４４】
なお、抜止部９（返し部１８）と係止部６とが周方向にて競合せず、また円筒部７とダクト１とは共に円形であり、さらに円筒部７の外周がダクト１における最内周（係止部６の内周側端部）よりも径が小さいため、円筒部７はダクト１内を回動可能となっている（回動構造）。
【００４５】
この状態において、円筒部７を時計回り、あるいは反時計回り（図２では反時計回り）に回動させることで、係止部６と抜止部９とが円周上における同一の位置、すなわち規制位置に配置される（図２における４番目の図、および図３）。
【００４６】
以上のように、ダクト１の係止部６と換気フード４の抜止部９とが係合することにより、換気フード４に、抜け方向Ｊの力が加わったとしても、ダクト１から抜けるのを防止できる。このため、ネジを用いることなく換気フード４を壁１０に固定できる。
【００４７】
また、ネジを必要としない固定のため、換気フード４の固定の際し、ドライバーなどの工具を必要としないため、簡単に施工が行える。
【００４８】
また、抜止部９の返し部１８はダクト１の内周壁５と円筒部７の外周とによって押圧されて、円筒部７の安易な動きを抑制する。そして例えば抜止部９がバネ鋼などの弾性力を有していれば、抜止部９にさらに強い押圧力が加わり、強い保持力を有することができる。さらに、内径に多少の違いのあるダクトであっても、返し部１８はダクト１の内周壁５によって押圧されるので、内径の違いを吸収して径の異なるダクトに円筒部７を固定することが可能となる。
また、係止部６と抜止部９はそれぞれ１個でも機能するが、複数設けることで、円筒部７が抜け方向Ｊに力が加わったとしても、複数の抜止部９と係止部６との係合力により、より強固に円筒部７を壁に固定できる。
【００４９】
なお、図５の左図はダクトカバー部３４を係止部６と抜止部９とが円周上における異なる位置でダクト１に挿し込んだ状態姿勢を示したものである。そして、図５の右図はダクトカバー部３４を係止部６と抜止部９とが円周上における同一の位置になるように回動した状態姿勢である。なお、ダクトカバー部３４は様々な形状が許容されるため、外周の矩形でダクトカバー部３４の傾きを示している。
【００５０】
このように、係止部６の少なくとも１つを円周上における上部に位置させる。そして、ダクトカバー部３４においても、配置後の正常な位置における上部に抜止部９を位置させる。これにより、ダクトカバー部３４を差し込んだ後、回動したかどうかは、換気フード４（ダクトカバー部３４）の姿勢が正しい位置になっていることで確認ができるので、現場においての回動忘れを容易に確認できる。
【００５１】
なお、抜止部９は円筒部７と一体として構成してもよい。また、抜止部９は、必ずしも円筒固定部１６と返し部１８とに分割される必要は無く、外周壁８から外周方向に突出して係止部６と係合するものであればよい。
（実施の形態２）
続いて、実施の形態２に係る換気フードについて、図６および図７を参照しながら説明する。なお、実施の形態２では、上記実施の形態と異なる点について説明を行う。ここで図６は、実施の形態２に係る換気フードの構成を示す斜視図、図７は、実施の形態２に係る抜止部の係止位置を示す図である。
【００５２】
本実施の形態では、係止部６ｂは、抜け規制部１１と、回動規制部１２とを備えている。
【００５３】
抜け規制部１１は、実施の形態１における係止部６と同様の形状であり、すなわち抜止部９の抜け方向Ｊへの移動を規制する。
【００５４】
回動規制部１２は、抜け規制部１１のさらに回動方向Ｋの先側端部から、ダクト１の内周壁５に沿ってさらに内部方向に向けて延設された棒状の突部である。そして回動規制部１２は、抜止部９の回動方向Ｋへの移動を規制する。
【００５５】
つまり、本実施の形態では、係止部６ｂはＬ字形状を有する。そして、この形状により、抜け規制部１１は、図６に示すように、抜止部９の抜け方向への規制位置（抜け方向規制位置１３）からの抜け方向Ｊへの移動を規制し、回動規制部１２は、抜止部９の回転方向への規制位置（回転方向規制位置１４）からの回動方向Ｋへの回動を規制する構成をしている。
【００５６】
上記構成において、円筒部７をダクト１が設置される壁１０に固定する際、円筒部７を抜止部９とダクト１の係止部６とが円周上の異なる位置で差し込む。その後、円筒部７を抜止部９が回動規制部１２に向かう方向に回動させる。このとき抜止部９はダクト１の回動規制部１２に当接するまで行う。この状態で抜止部９と係止部６とが円周上における同一の位置になり、換気フード４を壁１０に設置させる作業が完了する。
【００５７】
このようにして、換気フード４はネジを用いずに壁１０に固定できる。また、抜止部９と係止部６とを規制位置に位置させる作業では、円筒部７を回動させる作業中において、回動規制部１２により抜止部９の回動が規制される。つまり、作業者はその当接した感触により、規制位置に位置していることが分かるため、規制位置に位置したことが容易に認識できる。
（実施の形態３）
続いて、実施の形態３に係る換気フードについて、図８、図９、図１０、図１１を参照しながら説明する。なお、実施の形態３では、上記実施の形態と異なる点について説明を行う。ここで図８は、本実施の形態に係る抜止部の形状を示す図、図９は、本実施の形態に係る抜止部と係止部との状態を示す断面図、図１０は、本実施の形態に係る抜止部の形状を示す図、図１１は、本実施の形態に係る抜止部と係止部との関係を示す斜視図である。
【００５８】
本実施の形態では、抜止部９ｃは、楔部２０を備える。
【００５９】
楔部２０は、図８に示すように、抜止部９ｃのさらに返し部１８側に、抜け方向Ｊに対して先端が鋭利に尖った鋭角を向け、挿入方向Ｒに対しては鋭角を備えていない、すなわち三角形状を備えている。つまり楔部２０は、その鋭角の方向により、円筒部７の挿入方向Ｒへの移動に比して円筒部７の抜け方向Ｊへの移動を抑制することができる。
【００６０】
上記構成において、円筒部７に対して抜け方向Ｊに力が加わったとしても、図９に示すように楔部２０の先端がダクト１の内周壁５に引っかかる状態となるので、円筒部７が抜け方向Ｊに動くのを抑制できる。これに対して円筒部７をダクト１へ挿入する際は、挿入方向Ｒに対して鋭角を備えていないため、楔部２０のダクト１の内周壁５への引っかかり力が小さく、大きな力を必要とせず挿入できる。
【００６１】
なお楔部２０の鋭角を図８の方向、即ち挿抜方向に対して約４５度、回動方向とは逆方向、すなわち反回動方向に傾けて設けてもよい（図１０）。つまり、円筒部７の回動方向Ｋへの回動に比して円筒部７の反回動方向Ｐへの回動を抑制する構成をしている。
【００６２】
上記構成において、円筒部７に対して反回動方向Ｐ側への力が加わったとしても、楔部２０がダクト１の内周壁５に引っかかる状態となるので、換気フード４の反回動方向Ｐへの動きを抑制できる。当然ながら、抜け方向Ｊへの移動の抑制も同時に行うことができる。つまり、円筒部７の規制位置への移動は容易に行えるが、これに対して規制位置から再度分離状態とする際には、回動、移動が抑制されているため容易に行うことができず、結果として強固に固定することができる。当然、係止部や抜止部を複数設けることで、一層強固に固定されるのは言うまでもない。
【産業上の利用可能性】
【００６３】
本発明に係る換気フードは、ネジや、工具を用いることなく、換気フードを短時間に固定できるという効果を有し、建物の外壁等に設置される換気フード等として有用である。
【符号の説明】
【００６４】
１    ダクト
２    端部開口
３    カバー
４    換気フード
５    内周壁
６，６ｂ    係止部
７    円筒部
８    外周壁
９，９ｃ    抜止部
１０    壁
１１    抜け規制部
１２    回動規制部
１３    抜け方向規制位置
１４    回転方向規制位置
１５    先側
１６    円筒固定部
１７    後側
１８    返し部
２０    楔部
３１    孔
３２    外周壁
３３    壁面
３４    ダクトカバー部
３５    内周円
３６    ダクトカバー側開口
３７    フランジ
３８    位置
Ｊ    抜け方向
Ｋ    回動方向
Ｐ    反回動方向
Ｒ    挿入方向
【図１】
2018031514.tif 000003
【図２】
2018031514.tif 000004
【図３】
2018031514.tif 000005
【図４】
2018031514.tif 000006
【図５】
2018031514.tif 000007
【図６】
2018031514.tif 000008
【図７】
2018031514.tif 000009
【図８】
2018031514.tif 000010
【図９】
2018031514.tif 000011
【図１０】
2018031514.tif 000012
【図１１】
2018031514.tif 000013
【図１２】
2018031514.tif 000014